(57)【要約】【課題】狭い場所での一人作業を行う場合でも安全を確保でき、また、測定値の読みや操作ボタンの操作が容易でかつ汎用テスター本体も使用し易いウェアラブルテスターを提供する。【解決手段】本ウェアラブルテスターは、テスター本体と、このテスター本体が取付けられ使用者の腕に巻付けられる可撓性の腕巻付け部材と、この腕巻付け部材に設けられた透明な収納袋を有し、テスター本体は収納袋に収納されて、使用者の腕に取付けられる。【選択図】  図１
2004354297.tif 000002
【特許請求の範囲】
【請求項１】
テスター本体と、このテスター本体が取付けられ使用者の腕に巻付けられる可撓性の腕巻付け部材と、この腕巻付け部材に設けられた透明な収納袋を有し、前記テスター本体は収納袋に収納されて、使用者の腕に取付けられることを特徴とするウェアラブルテスター。
【請求項２】
請求項１に記載のウェアラブルテスターにおいて、腕巻付け部材は、電気絶縁性部材であることを特徴とするウェアラブルテスター。
【請求項３】
請求項１または２に記載のウェアラブルテスターにおいて、前記腕巻付け部材の端部には、固定手段が設けられたことを特徴とするウェアラブルテスター。
【請求項４】
請求項３のウェアラブルテスターにおいて、前記固定手段は、面ファスナであることを特徴とするウェアラブルテスター。
【発明の詳細な説明】
【０００１】
【発明の属する技術分野】
本発明は電気設備調整試験等に用いられ、特にテスター本体を試験者の腕に取付けテスタープローブを両手で操作できるようにしたウェアラブルテスターに関する。
【０００２】
【従来の技術】
電気設備調整試験で作業場所が自立盤内など狭い場合、テスターを使用して、導通、電圧などを測定するために、片手にテスター本体を保持し、反対側の手にテスタープローブ２本を箸持ちにして測定しているが、プローブによる地絡事故、プローブによる短絡事故を起すことがあり、このような測定方法は安全上問題があるため、禁止される場合が多い。
【０００３】
なお、リストバンドに取付けられたテスター本体を直接手首の地肌に接するように手首に取付け、測定レベルを触覚により感知できるようにしたテスターが特許文献１に提案されているが、この特許文献１のテスターを用いたのでは、電気設備調整試験に用いた場合、地絡事故を防止できず安全上問題があり、また、テスター本体がリストバンドに固定的に取付けられて使用されるので、汎用テスターを使用しにくい。さらに、多数の端子が接続された発信器と検査員の腕にリストバンドにより取付けられた受信器を有する配線チェック装置が特許文献２に提案されている。この特許文献２の配線チェック装置では、電気設備調整試験には適さず、また、受信器がリストバンドに固定的に取付けられているので汎用受信器を使用しにくい。
【０００４】
【特許文献１】
実開平６−３７７７５号公報（段落番号［０００５］〜［０００７］、図１）
【０００５】
【特許文献２】
特開平１１−２４８７８２号公報（段落番号［００１１］、［００１２］、［００１５］、図１）
【０００６】
【発明が解決しようとする課題】
本発明は上述した事情を考慮してなされたもので、狭い場所での一人作業を行う場合でも安全を確保でき、また、測定値の読みや操作ボタンの操作が容易でかつ汎用テスター本体も使用し易いウェアラブルテスターを提供することを目的とする。
【０００７】
【課題を解決するための手段】
上記目的を達成するため、本発明の１つの態様によれば、テスター本体と、このテスター本体が取付けられ使用者の腕に巻付けられる可撓性の腕巻付け部材と、この腕巻付け部材に設けられた透明な収納袋を有し、前記テスター本体は収納袋に収納されて、使用者の腕に取付けられることを特徴とするウェアラブルテスターが提供される。これにより、狭い場所での一人作業を行う場合でも安全を確保でき、また、測定値の読みや、操作ボタンの操作が容易なウェアラブルテスターが実現される。
【０００８】
好適な一例では、腕巻付け部材は、電気絶縁性部材である。これにより、地絡事故、短絡事故を防止することができて、安全に測定が行える。
【０００９】
また、他の好適な一例では、前記腕巻付け部材の端部には、固定手段が設けられる。これにより、使用者の腕への着脱が容易になる。
【００１０】
また、他の好適な一例では、前記固定手段は、面ファスナである。これにより、使用者の腕への着脱がより容易になる。
【００１１】
【発明の実施の形態】
以下、本発明に係わるウェアラブルテスターの実施形態について添付図面を参照して説明する。
【００１２】
図１は本発明に係わるウェアラブルテスターの平面を示す概念図、図２はその側面図である。
【００１３】
図１及び図２に示すように、本発明に係わるウェアラブルテスター１は、測定値を表示する表示部２ａ、入力ボタン２ｂ、操作ダイヤル２ｃ、テスタープローブ端子２ｄ等が設けられたテスター本体２と、このテスター本体２が取付けられ使用者の腕に巻付けられる可撓性の腕巻付け部材３と、テスター本体２を収納して腕巻付け部材３に取付けるための透明な収納袋４を有し、前記腕巻付け部材３の端部には、固定手段５が設けられている。
【００１４】
上記腕巻付け部材３は、電気絶縁性部材であるのが好ましく、これにより、テスタープローブを介しての地絡事故が防止される。
【００１５】
また、収納袋４は、図３に示すように、平板状の収納袋部材にテスター本体２を載置後、その両端を巻付け、両端に設けられた面ファスナ４ａを係合させて袋状に形成し、これにより、テスター本体２を腕巻付け部材３に取付けるようにしてもよく、また、予め袋状に形成しておいてもよい。これにより、比較的大型の電気設備調整試験用テスター本体でも腕巻付け部材３に容易に取付けることができる。
【００１６】
また、収納袋４は、透明であるので、測定値の読みや、操作ボタンの操作が容易であり、さらに、必要に応じて適宜操作ダイヤルを操作するための操作孔、テスタープローブ端子にテスタープローブを挿入するための挿入孔を設けておくのが好ましく、これにより、操作が容易になる。
【００１７】
固定手段５は、図１に示すように、バックルタイプの留め具を用いる構造等いずれの構造であってもよいが、面ファスナを用いることにより、着脱がより容易になり好ましい。
【００１８】
また、必要に応じて、上記腕巻付け部材にテスタープローブ収納用ポケットを設けるとテスタープローブをしまうのに便利であり、また、テスター本体に音声記録装置を設置し、測定値を音声で記録し測定終了後再生、記録できるようにすると一人作業に便利である。
【００１９】
次に本発明に係わるウェアラブルテスターを用いた電気設備調整試験方法について説明する。
【００２０】
図３に示すように、平板状の収納袋部材にテスター本体２を載置後、その両端を巻付け、両端に設けられた面ファスナ４ａを係合させて収納袋４に形成し、図１に示すように、テスター本体２を腕巻付け部材３に取付けウェアラブルテスター１とする。
【００２１】
しかる後、図４に示すように、使用者の左腕Ａまたは右腕に腕巻付け部材３を巻付け、面ファスナ５で固定する。
【００２２】
測定は両手で図５に示すプローブ６を操作し、図６に示すようにプローブ６を被測定端子に当て、腕に取付けたテスター本体２の指示値を確認する。
【００２３】
上記実施形態によれば、電気設備調整試験で作業場所が自立盤内など狭い場合、テスター本体を使用して、導通、電圧などを測定するために、従来のように片手にテスター本体を保持し、反対側の手にテスタープローブ２本を箸持ちにして測定するようなことは回避され、狭い場所での一人作業を行う場合でも、地絡事故、短絡事故を防止することができて、安全に測定が行える。また、収納袋は透明部材で形成されているので、測定値の読みや、操作ボタンの操作が容易である。さらに、腕巻付け部材をテスターケース兼用とし構造を簡略化でき、また、収納袋を用いてテスター本体を腕巻付け部材に着脱自在に取付けられるので、汎用テスターの利用も可能になる。
【００２４】
【発明の効果】
本発明に係わるウェアラブルテスターによれば、狭い場所での一人作業を行う場合でも安全を確保でき、また、測定値の読みや操作ボタンの操作が容易でかつ汎用テスター本体も使用し易いウェアラブルテスターを提供することができる。
【図面の簡単な説明】
【図１】本発明に係わるウェアラブルテスターの平面を示す概念図、図２はその側面図。
【図２】本発明に係わるウェアラブルテスターの側面を示す概念図。
【図３】本発明に係わるウェアラブルテスターに用いられるテスターの取付状態を示す概念図。
【図４】本発明に係わるウェアラブルテスターの使用者への取付け状態を示す概念図。
【図５】本発明に係わるウェアラブルテスターの使用状態を示す説明図。
【図６】本発明に係わるウェアラブルテスターの使用状態を示す説明図。
【符号の説明】
１  ウェアラブルテスター
２  テスター本体
３  腕巻付け部材
４  収納袋
５  固定手段
【図１】
2004354297.tif 000003
【図２】
2004354297.tif 000004
【図３】
2004354297.tif 000005
【図４】
2004354297.tif 000006
【図５】
2004354297.tif 000007
【図６】
2004354297.tif 000008